(57)【要約】  第１の側と反対の第２の側とを有する裏材を有するブリスターパック。第１及び第２の側のそれぞれは平坦又は平面である。ブリスターパックはまた、第１の側と反対の第２の側とを有するカバーを含み得る。カバーの第２の側の少なくとも一部が裏材の第１の側に接着され、製品を収容するための密封パッケージを形成する。カバーは少なくとも１つのブリスターを含み得る。各ブリスターはドーム部分とベース部分とを有し得る。ベース部分はドーム部分を取り囲み得る。ベース部分はカバーの第１の側を越えて外方に延び得る。ブリスターパックはまた、各ブリスターのベース部分内に配置された活性部材を含み得る。
2020506123.tif 000002
【特許請求の範囲】
【請求項１】
裏材と、
前記裏材に取り付けられたカバーであって、前記カバー及び裏材は一緒に製品を収容するための少なくとも１つの密封キャビティを形成し、前記密封キャビティはドーム部分とベース部分とを含み、前記ベース部分の少なくとも一部は前記ドーム部分を越えて第１の方向に延び、前記ドーム部分は前記カバーの外周部分を越えて第２の方向に延び、前記第２の方向は前記第１の方向に対して垂直である、カバーと、
前記密封キャビティの少なくとも前記ベース部分内の少なくとも１つの活性部材と
を備えるブリスターパック。
【請求項２】
前記ベース部分が前記カバーの前記外周部分を越えて前記第２の方向に延びる、請求項１に記載のブリスターパック。
【請求項３】
前記活性部材の少なくとも第１の部分が前記キャビティの前記ベース部分内に配置され、前記活性部材の少なくとも第２の部分が前記キャビティの前記ドーム部分内に又はその真下に配置される、請求項１に記載のブリスターパック。
【請求項４】
前記製品が前記キャビティの前記ドーム部分内に完全に配置可能である、請求項３に記載のブリスターパック。
【請求項５】
前記ベース部分が側壁と上壁とを含む、請求項１に記載のブリスターパック。
【請求項６】
前記ベース部分の前記側壁及び前記上壁が両方とも平坦であり、前記ドーム部分が完全に弓形である、請求項５に記載のブリスターパック。
【請求項７】
前記ベース部分の前記平坦な上壁が前記ベース部分の前記平坦な側壁に対して垂直に延びる、請求項６に記載のブリスターパック。
【請求項８】
前記ベース部分が前記裏材内の窪み又は切欠きによって形成される、請求項１に記載のブリスターパック。
【請求項９】
前記ドーム部分が前記ベース部分を越えて前記第２の方向に外方に延びる、請求項１〜８のいずれか一項に記載のブリスターパック。
【請求項１０】
前記裏材が箔から形成され、前記カバーが熱可塑性材料から形成される、請求項１〜８のいずれか一項に記載のブリスターパック。
【請求項１１】
前記カバーが、熱成形フィルム及び透明ポリ塩化ビニル（ＰＶＣ）の少なくとも一方から形成される、請求項１０に記載のブリスターパック。
【請求項１２】
前記活性部材が前記裏材に接着される、請求項１〜８のいずれか一項に記載のブリスターパック。
【請求項１３】
前記活性部材が、乾燥剤及び酸素捕捉剤の少なくとも一方を含む押出フィルムである、請求項１〜８のいずれか一項に記載のブリスターパック。
【請求項１４】
前記押出フィルムが第１の側と反対の第２の側とを含み、前記押出フィルムの前記第２の側が前記裏材と接触し、前記押出フィルムの前記第１の側の少なくとも一部が前記ブリスターの前記ベース部分の内面と接触する、請求項１３に記載のブリスターパック。
【請求項１５】
前記活性部材がベース材料と活性剤とを含む、請求項１〜８のいずれか一項に記載のブリスターパック。
【請求項１６】
前記ベース材料が熱可塑性ポリマーである、請求項１５に記載のブリスターパック。
【請求項１７】
前記ベース材料が、ポリプロピレン、ポリエチレン、ポリイソプレン、ポリブタジエン、ポリブテン、ポリシロキサン、ポリカーボネート、ポリアミド、エチレン−酢酸ビニルコポリマー、エチレン−メタクリレートコポリマー、ポリ（塩化ビニル）、ポリスチレン、ポリエステル、ポリ無水物、ポリアクリリアニトリル、ポリスルホン、ポリアクリル酸エステル、アクリル、ポリウレタン、ポリアセタール、それらのコポリマー及びそれらの混合物からなる群から選択される熱可塑性ポリマーである、請求項１８に記載のブリスターパック。
【請求項１８】
前記少なくとも１つの密封キャビティが少なくとも２つの離間された密封キャビティを含む、請求項１〜８のいずれか一項に記載のブリスターパック。
【請求項１９】
前記ブリスターの長手方向軸が前記裏材の外縁と平行に延びる、請求項１８に記載のブリスターパック。
【請求項２０】
第１の側と反対の第２の側とを有する箔裏材と、
第１の側と反対の第２の側とを有する熱可塑性カバーであって、前記カバーの前記第２の側の少なくとも一部が前記裏材の前記第１の側に取り付けられ、前記カバー及び前記裏材は一緒に少なくとも２つの離間された密封キャビティを形成し、各密封キャビティはドーム部分とベース部分とを有し、各ベース部分の少なくとも一部はそれぞれのドーム部分を越えて第１の方向に横方向に外方に延び、各ドーム部分は前記カバーの外周部分を越えて第２の方向に上方に延び、前記第２の方向は前記第１の方向に対して垂直である、熱可塑性カバーと、
乾燥剤及び酸素捕捉剤の少なくとも一方を含む押出フィルムの形態の活性部材であって、前記活性部材の少なくとも第１の部分が前記キャビティの前記ベース部分内に配置され、前記活性部材の少なくとも第２の部分が前記キャビティの前記ドーム部分内に又はその真下に配置される、活性部材と
を備えるブリスターパック。
【請求項２１】
少なくとも２つの製品をさらに含み、前記製品のそれぞれが、前記密封キャビティの１つに配置された丸剤であり、前記丸剤が任意選択的に薬、栄養補助剤、又はプロバイオティクスを含む、請求項２０に記載のブリスターパック。
【請求項２２】
各ベース部分が側壁と上壁とを含む、請求項２０又は２１に記載のブリスターパック。
【請求項２３】
各ベース部分の前記側壁及び前記上壁が平坦であり、各ドーム部分が完全に弓形である、請求項２２に記載のブリスターパック。
【請求項２４】
各ベース部分の前記平坦な上壁がその前記平坦な側壁に対して垂直に延びる、請求項２２に記載のブリスターパック。
【請求項２５】
前記ドーム部分が前記ベース部分を越えて前記第２の方向に外方に延びる、請求項２０又は２１に記載のブリスターパック。
【請求項２６】
各活性部材の少なくとも第１の部分が前記密封キャビティの１つの前記ベース部分内に配置され、各活性部材の少なくとも第２の部分が前記密封キャビティの１つの前記ドーム部分内に又はその真下に配置され、前記製品のそれぞれが前記密封キャビティの１つの前記ドーム部分内に配置される、請求項２０又は２１に記載のブリスターパック。
【請求項２７】
各ベース部分が前記裏材内の窪み又は切欠きによって形成される、請求項２０又は２１に記載のブリスターパック。
【請求項２８】
前記熱可塑性カバーが、熱成形フィルム及び透明ポリ塩化ビニル（ＰＶＣ）の少なくとも一方である、請求項２０又は２１に記載のブリスターパック。
【請求項２９】
前記押出フィルムが前記裏材の前記第１の側に接着される、請求項２０又は２１に記載のブリスターパック。
【請求項３０】
前記押出フィルムが第１の側と反対の第２の側とを含み、前記押出フィルムの前記第２の側が前記裏材の前記第１の側と接触し、前記押出フィルムの前記第１の側の少なくとも一部が各ブリスターの前記ベース部分の内面と接触する、請求項２０又は２１に記載のブリスターパック。
【請求項３１】
前記活性部材がベース材料と活性剤とを含む、請求項２０又は２１に記載のブリスターパック。
【請求項３２】
前記ベース材料が熱可塑性ポリマーである、請求項３１に記載のブリスターパック。
【請求項３３】
前記ベース材料が、ポリプロピレン、ポリエチレン、ポリイソプレン、ポリブタジエン、ポリブテン、ポリシロキサン、ポリカーボネート、ポリアミド、エチレン−酢酸ビニルコポリマー、エチレン−メタクリレートコポリマー、ポリ（塩化ビニル）、ポリスチレン、ポリエステル、ポリ無水物、ポリアクリリアニトリル、ポリスルホン、ポリアクリル酸エステル、アクリル、ポリウレタン、ポリアセタール、それらのコポリマー及びそれらの混合物からなる群から選択される熱可塑性ポリマーである、請求項３１に記載のブリスターパック。
【請求項３４】
各ブリスターの長手方向軸が前記裏材の外縁と平行に延びる、請求項２０又は２１に記載のブリスターパック。
【請求項３５】
ブリスターパックを製造する方法であって、
複数のブリスターを含む熱成形カバーを提供することであって、各ブリスターがドーム部分とベース部分とを含み、各ブリスターの前記ベース部分の少なくとも一部がその前記ドーム部分を越えて第１の方向に延び、各ブリスターの前記ドーム部分が前記カバーの外周部分を越えて第２の方向に延び、前記第２の方向が前記第１の方向に対して垂直である、提供すること、
前記カバーの各ブリスターの前記ドーム部分内に製品を置くこと、
前記カバーの各ブリスターの少なくとも前記ベース部分内に少なくとも１つの活性部材を置くこと、
裏材を前記カバーに取り付け、各ブリスター内の前記製品及び前記少なくとも１つの活性部材の周囲に密封キャビティを形成すること
を含む方法。
【請求項３６】
各密封キャビティが製品区画とベース区画とを有し、前記製品が前記密封キャビティの前記製品区画内に完全に配置可能であり、各活性部材の少なくとも第１の部分が前記密封キャビティの前記製品区画内に配置され、前記活性部材の少なくとも第２の部分が前記密封キャビティの前記ベース区画内に配置される、請求項３５に記載の方法。
【請求項３７】
各ブリスターの前記ベース部分が側壁と上壁とを含む、請求項３６に記載の方法。
【請求項３８】
各ベース部分の前記側壁及び前記上壁が平坦であり、各ドーム部分が弓形である、請求項３７に記載の方法。
【請求項３９】
各ベース部分の前記上壁がその前記側壁に対して垂直に延びる、請求項３７に記載の方法。
【請求項４０】
前記活性部材が前記裏材に接着される、請求項３５〜３９のいずれか一項に記載の方法。
【請求項４１】
各ブリスターの長手方向軸が前記裏材の縁部と平行に延びる、請求項３５〜３９のいずれか一項に記載の方法。
【発明の詳細な説明】
【技術分野】
【０００１】
関連出願の相互参照
本出願は、「ＢＬＩＳＴＥＲ  ＰＡＣＫＡＧＥ  ＷＩＴＨ  ＤＥＳＩＣＣＡＮＴ」と題され、２０１７年２月６日に出願された米国仮特許出願第６２／４５５，２３６号に付与された優先権を主張する。この仮特許出願は参照により本明細書に組み込まれる。
【０００２】
本開示の技術は、丸剤、錠剤、カプセル剤及びそれらに類するものなどの製品用のブリスター包装に関する。各包装はカバーを有し、カバーは裏材に接合された熱成形材料から任意選択的に形成可能であり、裏材はアルミニウム箔構成要素を任意選択的に含むことができる。
【背景技術】
【０００３】
ブリスター包装は、経口固形剤、ビタミン剤、プロバイオティクス、丸剤、錠剤、カプセル剤及びそれらに類するものを包装するために一般的に使用されている。従来技術の包装は、製品を保持する熱成形材料と、製品を封入するためにその開口側に取り付けられた箔とを含む。ブリスター包装又は「ブリスターパック」は通常、製薬会社及びより小規模な医療施設の両方で使用される。ブリスターパックはまた、第三者が充填するための未充填ブリスターパックを提供するという事業において企業によって製造されている。
【０００４】
乾燥剤又は脱気剤押出フィルムをブリスターパックに入れることが知られている。乾燥剤又は脱気剤押出フィルムのサイズ及び形状は、フィルムの設置面積と呼ばれることがあり、従来技術においては、製品を含むブリスターの開口部より少なくともわずかに小さい。乾燥剤フィルムを有する１つのそのようなブリスター包装は、米国特許第６，２７９，７３６号明細書（Ｈｅｋｅｌ）に開示されている。この特許は参照により本明細書に組み込まれる。図１は、４つのブリスター１８を有する別の従来技術のブリスターパック１０を示す。図２は、図１の線２−２を通る断面図を示し、そしてブリスター１８の１つを形成し、箔裏材１２に接着された熱可塑性部材１４を示す。単一のブリスター１８の幅よりも小さい幅ＷPA（図２参照）を有する押出乾燥剤フィルム１６が箔裏材１２に接着される。
【発明の概要】
【発明が解決しようとする課題】
【０００５】
従来のブリスター包装では、フィルムの乾燥剤又は脱気剤の収容能力は、ブリスターの開口部によって制限される。
【課題を解決するための手段】
【０００６】
ブリスター包装の乾燥剤又は脱気剤の収容能力を増やす必要がある。この及び他の必要性は、本開示技術によって対処され、本開示技術は、一態様において、熱成形カバー及び箔裏材を有するブリスターパックを含む。カバーは、製品を収容するための密封されたユニットパッケージを形成するために箔裏材に取り付けるか又は接合することができる。カバーは、開口側を有する少なくとも１つのブリスターキャビティを有することができる。箔裏材は、カバーに接合された側を有することができる。ブリスターキャビティは、ブリスター又はドーム部分とベース部分とを有することができる。ベース部分は、ブリスター部分よりも幅広でもよい及び／又は長くてもよい。
【０００７】
ブリスターパックはさらに押出フィルムを含むことができる。一実施形態では、押出フィルムは、カバーに接合された箔裏材の側に接着することができる。押出フィルムは、ベース部分に近い形状を有することができる。押出フィルムは乾燥剤又は酸素捕捉剤を含むことができる。
【０００８】
別の態様では、本開示技術は、ブリスターパックを製造する方法を含み得る。一実施形態では、この方法は、熱成形カバーを箔裏材に取り付け又は接合して密封ユニットパッケージを形成することを含むことができる。カバーは、製品を収容する少なくとも１つのブリスターキャビティを有することができる。少なくとも１つのブリスターキャビティは開口側を有することができる。ブリスターキャビティは、ブリスター又はドーム部分とベース部分とを有することができる。ベース部分は、ブリスター部分よりも幅広でもよい及び／又は長くてもよい。
【０００９】
一実施形態では、この方法は、押出フィルムを箔裏材のある側に取り付ける又は接着することを含むことができ、次に箔裏材は熱成形カバーに取り付けられる又は接合される。別の実施形態では、押出フィルムは箔裏材に接着されない。
【００１０】
別の態様では、本開示技術は、裏材と、裏材に取り付けられて製品を収容するための少なくとも１つの密封キャビティを形成するカバーとを含む。密封キャビティはドーム部分とベース部分とを含む。ベース部分の少なくとも一部は、ドーム部分を越えて第１の方向に横方向外向きに延びる。ドーム部分は、カバーの外周部分を越えて第２の方向に上向きに延びる。少なくとも１つの活性部材が密封キャビティの少なくともベース部分内に配置される。
【００１１】
さらに別の態様では、本開示技術は、裏材と、ドーム部分及びベース部分を有する少なくとも１つのブリスターを有するカバーとを含むブリスターパックを含む。ベース部分の少なくとも一部は、ドーム部分を越えて第１の方向に外向きに延びる。ベース部分は、カバーの外周部を越えて第２の方向に外側に延びる。第２の方向は第１の方向に対して垂直である。カバーを裏材に取り付けて、ブリスターのドーム部分に製品を収容するための密封パッケージを形成する。少なくとも１つの活性部材が、ブリスターの少なくともベース部分内に配置される。
【００１２】
さらに別の態様では、本開示技術は、裏材と、裏材に取り付けられたカバーとを含むブリスターパックを含む。組み合わされたカバーと裏材とは、製品を収容するための少なくとも１つの密封キャビティを形成する。密封キャビティはドーム部分とベース部分とを含む。ベース部分の少なくとも一部は、ドーム部を越えて第１の方向に延びる。ドーム部分は、カバーの外周部分を越えて第２の方向に延びる。第２の方向は第１の方向に対して垂直である。少なくとも１つの活性部材が密封キャビティの少なくともベース部分内に配置される。
【００１３】
任意選択的に、任意の実施形態において、ブリスターパックのブリスター内に含まれる製品は、例えば、任意選択的に薬、栄養補助食品又はプロバイオティクスである丸剤を含み得る。
【００１４】
本開示技術の前述の概要及び以下の詳細な記載は、添付の図面と併せて読むとより深く理解されよう。図面全体を通して、同様の番号は同様の要素を示す。本開示技術を説明する目的で、図面には様々な例示的な実施形態が示されている。しかしながら、本開示技術は、示されている正確な配置及び手段に限定されないことを理解されたい。
【図面の簡単な説明】
【００１５】
【図１】従来技術のブリスターパックの上面図である。
【図２】図１の線２−２に沿った断面図であり、個々のブリスターの幅よりも小さい幅を有する押出フィルムを示す。
【図３】本開示技術の一実施形態によるブリスターパックの上面図であり、単一ブリスター又は密封キャビティのベース部分はそのブリスター部分よりも大きい、幅広である及び／又は長い。
【図４】図３の線４−４に沿った側断面図であり、個々のブリスター部分の幅よりも広い幅を有する押出フィルムを示す。
【図４Ａ】図４の部分Ａの拡大図である。
【図５】図４に示される本開示技術の一実施形態の特定の構成要素を示し、活性部材及び製品は明確にするため及び説明を簡単にするために省略されている。
【図６】本開示技術の別の実施形態の側断面図であり、視点は図４と同じである。
【図６Ａ】図６の部分Ａの拡大図である。
【図７】本開示技術の別の実施形態の側断面図であり、視点は図４と同じである。
【発明を実施するための形態】
【００１６】
本明細書ではシステム、装置、及び方法を例及び実施形態として記載しているが、当業者は、本開示技術は、記載された実施形態にも図面にも限定されないことを認識する。むしろ、本開示技術は、添付の特許請求の範囲の趣旨及び範囲内に含まれるすべての修正形態、等価物、及び代替形態を網羅する。本明細書に開示されているいずれか１つの実施形態の特徴は、省略することができる、又は別の実施形態に組み込むことができる。
【００１７】
本明細書で使用される見出しはいずれも編成目的のためだけのものであり、本記載又は請求項の範囲を限定することを意味するものではない。本明細書で使用される際、「し得る（ｍａｙ）」という用語は、強制の意味（すなわち、しなければならないという意味）ではなく、寛容な意味（すなわち、〜の可能性を有するという意味）で用いられる。本明細書に具体的に記載されていない限り、「ａ」、「ａｎ」、及び「ｔｈｅ」という語は、１つの要素に限定されず、代わりに「少なくとも１つ」を意味すると解釈されるべきである。第１の方向Ｄ1及び第２の方向Ｄ2が特定の図面に参照及び明確さのためだけに示されるが、それらは本開示技術の構造の一部ではない。術語は、上記の用語、その派生語、及び類似の意味の用語を含む。
【００１８】
ここで様々な図を詳細に参照する。様々な図中、同様の参照番号は全体を通して同様の部分を指す。図３〜５は、本開示技術のブリスター包装又はパック（全体的に１１０で示す）の一実施形態を示す。ブリスターパック１１０は、裏材１１２、カバー１１４、及び少なくとも１つの活性部材１１６を含むことができる。ブリスターパック１１０は、経口固形剤、ビタミン剤又は他の栄養補助剤、食品、小型消費者物品、プロバイオティクス、その他などの１つ又は複数の製品１１７（図４に概略的に示す）を封入、保存及び保護することができる。このような製品は、丸剤、例えば錠剤、カプセル剤及びそれらに類するものの形態であり得る。
【００１９】
裏材１１２は、第１の側又は表面１１２ａと反対側の第２の側又は表面１１２ｂとを有することができる。任意選択的に、裏材１１２の少なくとも第１の側１１２ａは平坦又は平面である。一実施形態では、裏材１１２の第１及び第２の側１１２ａ、１１２ｂのそれぞれは平坦又は平面であり、その結果、第１及び第２の側１１２ａ、１１２ｂのそれぞれは平面内に延び、それらは少なくともわずかに離間される。一実施形態では、裏材１１２は、アルミニウム箔などの箔及び／又はプラスチック材料から少なくとも部分的に形成される。任意選択的に、裏材１１２は板紙を含むことができる。
【００２０】
カバー１１４は、第１の側又は表面１１４ａと反対側の第２の側又は表面１１４ｂとを有することができる。任意選択的に、カバー１１４の第１及び第２の側１１４ａ、１１４ｂの少なくとも一部は平坦又は平面である。カバー１１４の第２の側１１４ｂの少なくとも一部は、熱成形又は冷間成形などによって裏材１１２の第１の側１１２ａに取り付け又は接着されて、製品を収容するための密封パッケージを形成することができる。カバー１１４は、裏材１１２と同じ厚さ又は異なる厚さ（Ｄ2の方向に測定したとき）を有することができる。一実施形態では、カバー１１４は成形可能なウェブから製造又は形成される。一実施形態では、成形可能ウェブは、熱成形フィルムなどの熱可塑性材料から製造される。任意選択的に、カバー１１４は、透明でも不透明でもよいポリ塩化ビニル（ＰＶＣ）から形成することができる。一実施形態では、カバー１１４及び／又は裏材１１２は、２つ以上の層に形成することができる。
【００２１】
カバー１１４は、全体的に１１８で示される少なくとも１つのブリスターを含むか、又はそれを有するように形成される。例えば、カバー１１４は、２つ以上の離間したブリスター１１８を含むことができる。図３〜５に示される実施形態は、４つの離間した同一のブリスター１１８を有するカバー１１４を示す。しかしながら、カバー１１４は、より多い又はより少ないブリスターを有することができ、ブリスターの１つ又は複数は、特定の必要性に応じて、ブリスターパック１１０のブリスター１１８の別のブリスターと異なるサイズ及び／又は形状を有することができる。任意選択的に、各ブリスター１１８は少なくとも部分的な卵形又は球根形を有することができる。あるいは、一実施形態では、各ブリスター１１８は少なくとも部分的なプラトー形状（例えば横から見たとき）又は円筒形状を有することができる。カバー１１４が裏材１１２に取り付けられると、密封されたキャビティが各ブリスター１１８の内部に又は各ブリスター１１８によって形成される。
【００２２】
図３に示すように、一実施形態では、各ブリスター１１８は、ブリスターパック１１０の少なくとも１つの外縁部と平行に延びる長手方向軸又は長軸を定めることができる。任意選択的に、及びより具体的に、各ブリスター１１８の長手方向軸は、図３に示されるように、ブリスターパック１１０の２つの対向する横方向の側と平行にかつブリスターパックの上側及び底側と垂直に延在することができる。しかしながら、ブリスターパック１１０内のブリスター１１８の構成及び向きは、特定の必要性に応じて他の構成が可能であるので、本明細書に示され記載されたものに限定されない。
【００２３】
一実施形態では、各ブリスター１１８は、ブリスター又はドーム部分１２０とベース部分１２２とを有する。ベース部分１２２は、ドーム部分１２０とは異なるサイズ、形状、構成及び／又は設置面積を有する。任意選択的に、ベース部分１２２の少なくとも一部は、ドーム部分１２０を越えて横方向外側に第１の方向Ｄ1に延びる。例えば、一実施形態では、ベース部分１２２はドーム部分１２０よりも大きい設置面積を有し、その結果、ベース部分１２２はドーム部分１２０全体を囲むか又は取り囲む（図３及び４を参照）。言い換えれば、そのような実施形態では、ベース部分１２２はドーム部分１２０よりも長く幅広である。そのような構成では、ブリスターパック１１０を上から見たとき（図３参照）、各ベース部分１２２は各ドーム部分１２０と同じ外周形状を有し、ベース部分１２２の方が大きい点が異なる。任意選択的に、ドーム部分１２０とベース部分１２２の両方は、上から見たときにほぼ楕円形の形状を有する（図３を参照）。別の実施形態では、ベース部分１２２の一部のみがドーム部分１２０を越えて横方向外側に第１の方向Ｄ1に延び、その結果、ベース部分１２２は、上から見たときにドーム部分１２０とは異なる形状を有する。
【００２４】
任意選択的に、ドーム部分１２０とベース部分１２２の両方が、カバー１１４の第１の側１１４ａを越えて外側に（すなわち上方向に）及び／又は第２の方向Ｄ2に裏材１１２から離れるように延びる。図４に示すように、第２の方向Ｄ2は、第１の方向Ｄ1に対して垂直である。一実施形態では、ドーム部分１２０は、カバー１１４の第１の側１１４ａから離れるように第２の方向Ｄ2にベース部分１２２を越えて又はそれよりも遠くへ外向きに延びる。
【００２５】
一実施形態では、ドーム部分１２０は、その中に製品１１７を収容するようなサイズ、形状及び／又は構成である一方、ベース部分１２２はそうではない。言い換えれば、そのような実施形態では、ベース部分１２２のサイズ、形状及び／又は構成は、製品１１７をその中に配置することを可能にしない。より具体的には、裏材１１２に取り付けられた複合カバー１１４は、各ブリスター１１８内でそれらの間にキャビティを形成する。図５に示すように、キャビティは少なくとも製品区画１２４及びベース区画１２６を含むことができる。一実施形態では、ベース区画１２６の少なくとも一部は、第１の方向Ｄ1において製品区画を越えて外側に延びる。一実施形態では、製品１１７は完全に製品区画１２４内に配置される。活性部材１１６の少なくとも第１の部分（例えば中央部分）は、製品区画１２４及び／又は製品１１７の中又は下に配置され、そして活性部材１１６の少なくとも第２の部分（例えば、一方又は両方の外側端部もしくは側端部及び／又はその外周）は、ベース区画１２６内に配置される。
【００２６】
任意選択的に、図４に示すように、ドーム部分１２０は断面において弓形の形状を有することができ、ベース部分１２２は直線、正方形又は長方形の形状であることができる。言い換えれば、一実施形態では、ドーム部分１２０の形状は、ベース部分１２２がドーム部分１２０の形状又は角度又は軌道を継続しないように、ベース部分１２２の形状とは異なる。ベース部分１２２はドーム部分１２０をカバー１１４の残りの部分から分離する、又はベース部分１２２はドーム部分１２０をカバー１１４の残りの部分に取り付ける。一実施形態では、ベース部分１２２は、平坦又は直線状の側壁１２２ａと、平坦又は直線状の上壁１２２ｂとを含み、そして、ドーム部分１２０は、完全に弓形又は球形の形状を有する。任意選択的に、図４に示すように、ベース部分１２２の側壁１２２ａは、ベース部分１２２の上壁１２２ｂに対して垂直に延在することができる。ベース部分１２２の上壁１２２ｂは、ベース部分１２２の側壁１２２ａをドーム部分１２０に取り付ける又は接続することができる。
【００２７】
任意選択的に、ドーム部分１２０は、従来技術のブリスター１８とほぼ又は全く同じサイズ及び／又は形状を有する（図２参照）。しかしながら、そのような実施形態では、本実施形態のブリスター１１８は、本実施形態のブリスター１１８がベース部分１２２を含むという点で、従来技術のブリスター１８と区別することができる。
【００２８】
一実施形態では、少なくとも１つの活性部材１１６が各ブリスター１１８の少なくともベース部分１２２内に配置される。より具体的には、上述のように、一実施形態では、少なくとも１つの活性部材１１６はブリスター１１８のベース部分１２２とドーム部分１２０との両方の中にあることができる。一実施形態では、活性部材１１６は、乾燥剤混入ポリマーフィルム又は酸素捕捉剤混入ポリマーフィルムなどの押出フィルムの形態であり得る。任意選択的に、各活性部材１１６は、図４に示されるように、長方形又は正方形のフィルム片の形態であり得る。しかしながら、活性部材１１６は、例えば他の形状を採用することができるので、本明細書に示され記載されている特定のサイズ、形状及び／又は構成に限定されない。
【００２９】
任意選択的に、活性部材１１６は、例えば接着剤を使用して、裏材１１２の第１の側１１２ａに接着される。例えば、活性部材１１６は、第１の又は上側及び反対側の第２の又は下側を含むことができる。活性部材１１６の第２の側は、裏材１１２の第１の側１１２ａと接触することができる。
【００３０】
あるいは、活性部材１１６は裏材１１２の第１の側１１２ａに（接着剤なしで）ヒートステークすることができる。フィルムを基板上にヒートステークする方法は、米国特許第８，１４２，６０３号明細書に詳細に記載されており、この特許はその全体が参照により本明細書に組み込まれる。
【００３１】
別の代替案として、活性部材１１６は裏材１１２に接着されない。そのような実施形態では、製品１１７がブリスター１１８内に配置された後に、活性部材１１６はブリスター１１８内に緩く配置される。一実施形態では、活性部材１１６は、厚さ又は高さ（すなわち、図４に示す裏材１１２に対して垂直な方向）が約０．３ｍｍである。
【００３２】
図４に示すように、一実施形態では、活性部材１１６の幅Ｗは、ベース部分１２２の幅より少なくともわずかに小さい。同様に、及び任意選択的に、活性部材１１６の長さは、ベース部分１２２の長さより少なくともわずかに小さい。しかしながら、活性部材１１６の幅Ｗ及び／又は長さは、ドーム部分１２０のそれより少なくともわずかに大きい。図２を図４と比較すると明らかなように、活性部材１１６の幅Ｗは活性部材１６の幅ＷPAよりも大きい。一実施形態では、活性部材１１６の幅Ｗ及び／又は長さは、ドーム部分１２０の幅及び／又は長さよりもかなり大きい。例えば、ドーム部分１２０と活性部材１１６との間の幅及び／又は長さの差は、ベース部分１２２と活性部材１１６との間の幅及び／又は長さの差よりも大きくなり得る（２倍大きいなど）。各活性部材１１６の形状が長方形でも正方形でもない別の実施形態では、各活性部材１１６の全外周、又は外周の少なくとも一部は、それぞれのドーム部分１２０のそれより大きい。
【００３３】
したがって、本開示技術のブリスター１１８は、従来技術のブリスター１８が提供し得るよりも大きな表面積を活性材料に提供する。これは、従来技術のブリスター１８単独の輪郭の範囲内に限定された活性フィルムの表面積でもたらされ得るよりも高い活性（例えば、乾燥剤フィルムの場合には吸湿性）を促進する。
【００３４】
一実施形態では、各活性材料１１６は乾燥剤を含有する。これは吸湿が望まれる実施形態であろう。しかしながら、吸湿が望まれない場合、活性部材１１６は代替活性剤を含むことができる。例えば、別の実施形態では、活性部材１１６は活性炭、カーボンブラック、ケチャムブラック及びダイヤモンド粉末からなる群から選択される材料を含む。さらなる実施形態では、活性部材１１６の１つ又は複数の層を含む活性剤は、吸収ミクロスフェア、ＢａＴｉＯ３、ＳｒＴｉＯ３、ＳｉＯ２、Ａｌ２Ｏ３、ＺｎＯ、ＴｉＯ２、ＭｎＯ、ＣｕＯ、Ｓｂ２Ｏ３、シリカ、酸化カルシウム及びイオン交換樹脂などの材料を含む。さらに別の実施形態では、活性部材１１６の吸収剤含有層は２種類以上の吸収剤を含有する。適切な吸収剤は、所望の最終用途のための所望の蒸気又はガスの吸収（例えば、水分、酸素、二酸化炭素、窒素又は他の望ましくないガス又は蒸気の吸収）を達成するように選択される。
【００３５】
活性部材１１６（乾燥剤、酸素捕捉剤、放出材料もしくは薬剤、その他、又はそれらの組み合わせにかかわらず）は、選択された材料（例えば、水分又は酸素）に作用し、それと相互作用し、又はそれと反応することができる。そのような作用又は相互作用の例は、選択された材料の吸収、吸着（一般に収着）又は放出を含み得る。
【００３６】
活性部材１１６は、ベース材料中に「活性剤」を含むことができる。活性剤は（ｉ）ベース材料（例えばポリマー）と非混和性であることができ、ベースポリマー及びチャネリング剤と混合及び加熱されたとき、融解しない、すなわちベースポリマー又はチャネリング剤のいずれかの融点よりも高い融点を有し、及び／又は（ｉｉ）選択された材料に作用、相互作用又は反応する。「活性剤」という用語は、選択された材料を吸収、吸着、又は放出する材料を含み得るが、これらに限定されない。本開示技術による活性剤は、鉱物（例えば、乾燥剤の場合はモレキュラーシーブ又はシリカゲル）などの粒子の形態であり得るが、本開示技術は、粒状活性剤のみに限定されると見なされるべきではない。例えば、いくつかの実施形態では、脱酸素製剤は、活性剤として、又は活性剤の成分として作用する樹脂から製造することができる。
【００３７】
本明細書で使用されるとき、「ベース材料」という用語は、同伴材料のための構造を提供する、活性剤以外の同伴活性材料の成分（好ましくはポリマー）である。
【００３８】
本明細書で使用されるとき、「ベースポリマー」という用語は、チャネリング剤のガス透過率より実質的に低い、低い、又は実質的に同等である選択された材料のガス透過率を任意選択的に有するポリマーである。例として、そのような透過率は、選択された材料が水分でありそして活性剤が吸水性乾燥剤である実施形態において水蒸気透過率であろう。ベースポリマーの主な機能は同伴ポリマーの構造を提供することである。適切なベースポリマーとしては、熱可塑性ポリマー、例えば、ポリプロピレン及びポリエチレンなどのポリオレフィン、ポリイソプレン、ポリブタジエン、ポリブテン、ポリシロキサン、ポリカーボネート、ポリアミド、エチレン−酢酸ビニルコポリマー、エチレン−メタクリレートコポリマー、ポリ（塩化ビニル）、ポリスチレン、ポリエステル、ポリ無水物、ポリアクリリアニトリル、ポリスルホン、ポリアクリル酸エステル、アクリル、ポリウレタン及びポリアセタール、あるいはそれらのコポリマー又は混合物が挙げられ得る。
【００３９】
ベースポリマー及びチャネリング剤の水蒸気透過率のそのような比較を参照すると、一実施形態では、チャネリング剤はベースポリマーの少なくとも２倍の水蒸気透過率を有する。別の実施形態では、チャネリング剤はベースポリマーの少なくとも５倍の水蒸気透過率を有する。別の実施形態では、チャネリング剤はベースポリマーの少なくとも１０倍の水蒸気透過率を有する。さらに別の実施形態では、チャネリング剤はベースポリマーの少なくとも２０倍の水蒸気透過率を有する。さらに別の実施形態では、チャネリング剤はベースポリマーの少なくとも５０倍の水蒸気透過率を有する。さらに別の実施形態では、チャネリング剤はベースポリマーの少なくとも１００倍の水蒸気透過率を有する。
【００４０】
本明細書で使用されるとき、「チャネリング剤」という用語は、ベースポリマーと不混和性であり、ベースポリマーよりも速い速度で気相物質を輸送する親和性を有する材料として定義される。任意選択的に、チャネリング剤は、チャネリング剤をベースポリマーと混合することによって形成されたときに同伴ポリマーを通ってチャネルを形成することができる。任意選択的に、そのようなチャネルは、ベースポリマーだけの場合よりも速い速度で同伴ポリマーを介して選択された材料を透過させることができる。
【００４１】
本明細書で使用されるとき、「チャネル」又は「相互接続チャネル」という用語は、ベースポリマーを貫通し、互いに相互接続されてもよいチャネリング剤から形成された通路として定義される。
【００４２】
本明細書で使用されるとき、「同伴ポリマー」という用語は、活性剤を有する少なくともベースポリマーと、任意選択的に全体にわたって同伴又は分布されたチャネリング剤とから形成されたモノリシック材料として定義される。したがって、同伴ポリマーは、二相ポリマー及び三相ポリマーを含む。「ミネラル導入ポリマー」は同伴ポリマーの一種であり、ここで活性剤はミネラル、例えばモレキュラーシーブ又はシリカゲルなどのミネラル粒子の形態である。「同伴材料」という用語は、本明細書では、ベース材料がポリマーであってもなくてもよい、ベース材料内に同伴された活性剤を含むモノリシック材料を意味するために使用される。
【００４３】
本明細書で使用されるとき、「モノリシック」、「モノリシック構造」又は「モノリシック組成物」という用語は、２つ以上の別々の巨視的層又は部分から構成されていない組成物又は材料として定義される。したがって、「モノリシック組成物」は多層複合材料を含まない。
【００４４】
本明細書で使用されるとき、「相」という用語は、構造又は組成物にモノリシック特性を与えるために全体にわたって均一に分散しているモノリシック構造又は組成物の一部又は成分として定義される。
【００４５】
本明細書で使用されるとき、「選択された材料」という用語は、活性剤に作用するか、それによって作用されるか、それと相互作用するか又はそれと反応し、そして同伴ポリマーのチャネルを通して透過され得る材料として定義される。例えば、乾燥剤が活性剤として使用される実施形態では、選択された材料は、乾燥剤によって吸収され得る水分又はガスであり得る。放出材料が活性剤として使用される実施形態では、選択された材料は、水分、芳香剤、又は抗菌剤（例えば、二酸化塩素）などの放出材料によって放出される剤であり得る。吸着材料が活性剤として使用される実施形態では、選択された材料はある種の揮発性有機化合物であり得、吸着材料は活性炭であり得る。
【００４６】
本明細書で使用されるとき、「三相」という用語は、３つ以上の相を含むモノリシック組成物又は構造として定義される。本開示技術による三相組成物の例は、ベースポリマー、活性剤、及びチャネリング剤から形成された同伴ポリマーであろう。任意選択的に、三相組成物又は構造は追加の相、例えば着色剤を含んでもよい。
【００４７】
同伴ポリマーは、二相配合物（すなわち、チャネリング剤を含まずにベースポリマー及び活性剤を含む）又は三相配合物（すなわち、ベースポリマー、活性剤及びチャネリング剤を含む）であり得る。同伴ポリマーは、例えば、米国特許第５，９１１，９３７号明細書、同第６，０８０，３５０号明細書、同第６，１２４，００６号明細書、同第６，１３０，２６３号明細書、同第６，１９４，０７９号明細書、同第６，２１４，２５５号明細書、同第６，４８６，２３１号明細書、同第７，００５，４５９号明細書及び米国特許出願公開第２０１６／００３９９５５号明細書に記載されている。これらのそれぞれは、その全体が参照により本明細書に組み入れられる。
【００４８】
同伴材料又はポリマーは、構造を提供するためのベース材料（例えば、ポリマー）、任意選択的にチャネリング剤及び活性剤を含む。チャネリング剤は、同伴ポリマーを通して微視的相互接続チャネルを形成する。チャネルが同伴ポリマーの外面に形成された微視的チャネル開口部を介して活性剤と同伴ポリマーの外側との間を連通するように、活性剤の少なくとも一部がこれらのチャネル内に含まれる。活性剤は、以下にさらに詳細に記載されるように、例えば、様々な吸収性、吸着性又は放出性材料のうちのいずれか１種類であり得る。チャネリング剤が好ましいが、本発明は、任意選択的にチャネリング剤を含まない同伴材料、例えば二相ポリマーを広く含む。
【００４９】
任意の実施形態において、適切なチャネリング剤は、ポリエチレングリコール（ＰＥＧ）、エチレン−ビニルアルコール（ＥＶＯＨ）、ポリビニルアルコール（ＰＶＯＨ）、グリセリンポリアミン、ポリウレタン、及びポリアクリル酸又はポリメタクリル酸を含むポリカルボン酸などのポリグリコールを含み得る。あるいは、チャネリング剤は、例えば、ＣＬＡＲＩＡＮＴにより製造されているＰｏｌｙｇｌｙｋｏｌ  Ｂ０１／２４０などのプロピレンオキシドポリメリゼート−モノブチルエーテルなどの水不溶性ポリマーであり得る。他の実施形態では、チャネリング剤は、ＣＬＡＲＩＡＮＴによって製造されたＰｏｌｙｇｌｙｋｏｌ  Ｂ０１／２０などのプロピレンオキシドポリメリゼートモノブチルエーテル、ＣＬＡＲＩＡＮＴによって製造されたＰｏｌｙｇｌｙｋｏｌ  Ｄ０１／２４０などのプロピレンオキシドポリメリゼート、エチレン酢酸ビニル、ナイロン６、ナイロン６６、又は前述の任意の組合せであり得る。
【００５０】
本開示技術による適切な活性剤には、乾燥化合物などの吸収材料が含まれる。活性剤が乾燥剤である場合、所与の用途に適した任意の乾燥剤を使用することができる。典型的には、物理吸収乾燥剤が多くの用途に好ましい。これらは、モレキュラーシーブ、シリカゲル、粘土及びデンプンを含み得る。あるいは、乾燥剤は、水を含む結晶を形成する化合物又は水と反応して新しい化合物を形成する化合物であり得る。
【００５１】
任意選択的に、任意の実施形態において、活性剤は酸素捕捉剤、例えば酸素捕捉樹脂配合物であり得る。
【００５２】
図６及び６Ａは、本開示技術の別の実施形態を示す。図３〜５の実施形態と図６〜６Ａの実施形態との間で同様の又は同一の構造は、図６〜６Ａにおいて、図３〜５の参照番号よりも１００大きい大きさの参照番号によって区別される。図３〜５の実施形態と図６〜６Ａの実施形態との間の特定の類似点の記載は、単に便宜上及び簡潔にするために、本明細書で省略されることがある。
【００５３】
図６及び６Ａに示すように、活性部材２１６の上側又は上面の少なくとも一部は、ブリスター２１８のベース部分２２２の上壁２２２ｂの内面（下側）の少なくとも一部に接触及び／又は係合することができる。任意選択的に、この接触にもかかわらず、活性部材２１６は、ベース部分２２２内に配置されたときに圧縮されない（又は最小限にしか圧縮されない）。したがって、この接触は好ましくは、係合表面間に気密シールを作らず、その結果、空気がそれらの間にアクセス可能であり得る。したがって、これにより、上壁２２２ｂと接触する活性部材２１６の部分が、例えば、係合表面間の空気中の成分（例えば、水分又は酸素）を吸収又は吸着することが可能になり得る。表面間の接触は、（図６に示されるように）ベース部分２２２がより低いもしくはより小さい厚さもしくは高さを有する結果として生じ得る、又は活性部材２１６がより厚いかもしくはより高い高さを有する結果として生じ得る。この構成により、隠された活性部材２１６は、先の実施形態の活性部材１１６と同じ又は同様の活性特性又は機能を有することが可能になる。言い換えれば、活性部材２１６の機能性は、活性部材２１６とベース部分２２２との間の接触によって妨げられない。
【００５４】
図７は、本開示技術の別の実施形態を示す。図３〜５の実施形態と図７の実施形態との間で同様の又は同一の構造は、図７において、図３〜５の参照番号よりも２００大きい大きさの参照番号によって区別される。図３〜５の実施形態と図７の実施形態との間の特定の類似点の記載は、単に便宜上及び簡潔にするために、本明細書で省略されることがある。
【００５５】
図７に示されるように、ベース部分３２２は裏材３１２の中に又はそれによって形成することができる。したがって、（上述のようにベース部分なしで）ブリスター３１８をカバー３１４に形成することができ、及びベース部分３２２は裏材３１２の中に形成することができる。この実施形態では、ベース部分３２２は、裏材３１２の上面に形成された窪み又は切り欠きであり得る。任意選択的に、ベース部分３２２は、全体的に裏材３１２内にあり得る。別の選択肢において、ベース部分を部分的に裏材内に形成し、部分的にカバー内に形成することができる。いずれにせよ、裏材３１２に取り付けられたカバー３１４は、製品を収容するための少なくとも１つの密封キャビティを形成する。密封キャビティはドーム部分又はブリスター３１８とベース部分３２２とを含む。
【００５６】
本開示技術は、ブリスターパック１１０、２１０の製造及び／又は使用方法を含む。方法の１つは、（ｉ）上述の特徴の１つ又は複数を有する少なくとも１つのブリスター１１８、２１８を有するカバー１１４、２１４を提供及び／又は形成すること、（ｉｉ）各ブリスター１１８、２１８内に製品１１７を配置すること、（ｉｉｉ）各ブリスター１１８、２１８内に活性材料１１６、２１６を配置すること、及び（ｉｖ）裏材１１２、２１２をカバー１１４、２１４に取り付けるか又は接合して製品１１７の周りに密封パッケージを形成することを含む。本明細書で使用されるとき、「提供する」という用語は、受け取ること、取ること、及び／又は使用することを含むように広く定義される。ユーザが製品１１７にアクセスしたいときは、裏材１１２、２１２の少なくとも一部をカバー１１４、２１４から分離するか、又は破って製品１１７を露出させることができる。
【００５７】
本開示技術をその特定の例を参照して詳細に記載してきたが、その趣旨及び範囲から逸脱することなく様々な変更及び修正を本明細書において加えることができることは当業者にとって明らかである。したがって、本開示技術は開示された特定の実施形態に限定されず、添付の特許請求の範囲によって定義される本開示技術の趣旨及び範囲内での修正を網羅することが意図されることが理解される。
【図１】
2020506123.tif 000003
【図２】
2020506123.tif 000004
【図３】
2020506123.tif 000005
【図４】
2020506123.tif 000006
【図４Ａ】
2020506123.tif 000007
【図５】
2020506123.tif 000008
【図６】
2020506123.tif 000009
【図６Ａ】
2020506123.tif 000010
【図７】
2020506123.tif 000011
【国際調査報告】
2020506123.tif 000012
2020506123.tif 000013
2020506123.tif 000014